(57)【要約】【課題】  酸化亜鉛形バリスタを収納する収納ケースから引き出す絶縁被覆形リード線と収納ケース内の引出し導体との接続を簡便に、安定した機械的強度で接続する。【解決手段】  酸化亜鉛形バリスタ１を収納する収納ケース３０にリード線引出し用第一孔３１と、この第一孔３１に直交させて引出し導体接続用第二孔３２を形成する。第一孔３１にリード線２０の連続した絶縁被覆剥き代部２０ｐと絶縁被覆部２０ｑを挿入し、第二孔３２に引出し導体１３の先端部を挿入し、この先端部を絶縁被覆剥き代部２０ｐに公差させて接触させ、第一孔３１にリード線２０を接着剤５０で固定する。【選択図】    図１
2008053335.tif 000002
【特許請求の範囲】
【請求項１】
酸化亜鉛形バリスタを含むＳＰＤ用素子を収納した収納ケース内で絶縁電線形リード線と前記ＳＰＤ用素子の引出し導体とを接続したリード線引出し形ＳＰＤであって、
前記収納ケースは、前記リード線の部分的に絶縁被覆を除去した絶縁被覆剥き代部とこれに連続する絶縁被覆部から成る片端部が挿入されるリード線引出し用第一孔と、この第一孔に部分的に開口して前記引出し導体の先端部が挿入される引出し導体接続用第二孔を有し、
前記第一孔に挿入した前記リード線片端部の絶縁被覆剥き代部と、前記第二孔に挿入した引出し導体先端部とを交差させて接触させることで、前記リード線と引出し導体を接続したことを特徴とするリード線引出し形ＳＰＤ。
【請求項２】
前記第一孔に、当該第一孔に挿入した前記リード線片端部の絶縁被覆部を接着剤で固定したことを特徴とする請求項１に記載のリード線引出し形ＳＰＤ。
【請求項３】
前記第一孔の奥が、当該第一孔に挿入された前記リード線の絶縁被覆剥き代部先端が突き当たる閉口端であることを特徴とする請求項１または２に記載のリード線引出し形ＳＰＤ。
【請求項４】
酸化亜鉛形バリスタを含むＳＰＤ用素子を収納した収納ケース内で絶縁電線形リード線と前記ＳＰＤ用素子の引出し導体とを接続するＳＰＤ製造方法であって、
前記収納ケースは、前記リード線の部分的に絶縁被覆を除去した絶縁被覆剥き代部とこれに連続する絶縁被覆部から成る片端部が挿入されるリード線引出し用第一孔と、この第一孔に部分的に開口して前記引出し導体の先端部が挿入される引出し導体接続用第二孔を有し、
前記第一孔に挿入した前記リード線の絶縁被覆剥き代部と、前記第二孔に挿入した引出し導体先端部とを交差させて接触させる交差接触工程と、
前記第一孔内で前記リード線を捩り回転させるリード線捩り工程と、
前記第一孔に前記リード線の絶縁被覆部を接着剤で接着するリード線接着工程と、
を含むことを特徴とするリード線引出し形ＳＰＤ製造方法。
【発明の詳細な説明】
【技術分野】
【０００１】
本発明は、酸化亜鉛形バリスタを収納した収納ケースから絶縁電線形リード線を引き出したリード線引出し形ＳＰＤ（Surge Protective Device：サージ防護デバイス）の構造および製造方法に関する。
【背景技術】
【０００２】
雷害を防止する目的から、単相または三相交流電路や直流電路において電気機器と大地間に、雷による過渡的な過電圧を制限してサージ電流を分流するデバイスとしてＳＰＤが設置されている。このＳＰＤ用素子としては、酸化亜鉛形バリスタが一般的に使用されている。
【０００３】
酸化亜鉛形バリスタは、ＺｎＯを主成分とする矩形や円板形の板状耐雷素子で、表裏両面に薄板状に電極を被着している。酸化亜鉛形バリスタは、表裏両面の電極間に印加する電圧に応じて抵抗が変化する特性、つまり、閾値電圧以下の電圧が印加された時には極めて高抵抗であって実質的に絶縁性を示し、閾値電圧を超える電圧が印加された時には低抵抗を示す非線形性の電流電圧特性を有する。
【０００４】
一般に、酸化亜鉛形バリスタを使用したＳＰＤは、酸化亜鉛形バリスタに放電ギャップやＳＰＤ保護用としての温度ヒューズ、電流ヒューズなどの他のＳＰＤ用素子と組み合わせて構成される。酸化亜鉛形バリスタは、雷サージが繰り返し入力されると、その入力レベルによっては経時的に劣化し、漏れ電流が増加して発熱し、熱暴走による発煙発火の原因となることがある。そこで、ＳＰＤでは、酸化亜鉛形バリスタの熱暴走による発煙発火を防止する保護手段として、バリスタ劣化による発熱で断線動作する温度ヒューズを酸化亜鉛形バリスタに一体に組み付けることが行われている（例えば、特許文献１参照）。
【０００５】
また、酸化亜鉛形バリスタを使用したＳＰＤは、酸化亜鉛形バリスタを含む複数種類のＳＰＤ用素子を樹脂製の絶縁性収納ケースに収納して、収納ケースでＳＰＤ用素子を電気的かつ機械的に保護している。収納ケースに収納された酸化亜鉛形バリスタを含むＳＰＤ用素子のケース外への電極引出しは、金属線や金属板の引出し導体、絶縁電線形リード線などの複数種類の導体を使用して行われている（例えば、特許文献２参照）。
【特許文献１】特開２００３−２２９３０３号公報
【特許文献２】特開２００１−２９７９０４号公報
【発明の開示】
【発明が解決しようとする課題】
【０００６】
収納ケースから絶縁電線形リード線を導出したリード線引出し形ＳＰＤは、収納ケース内でＳＰＤ用素子の電極と絶縁電線形リード線とを、金属線や金属板の引出し導体で接続して、ＳＰＤ回路を構成している。このようなＳＰＤ用素子の引出し導体と絶縁電線形リード線との接続は、半田付けやカシメ、圧着など様々な簡易な工法で行われているが、接続箇所が多くてＳＰＤ製造組立の接続工程に相当な工数を必要とし、ＳＰＤ製造コストの低減を難しくしている。また、収納ケースから絶縁電線形リード線を引き出した場合、信頼性の面から引出しリード線に数ｋｇの引張り荷重に耐えることが要求される。この要求を満たすため、絶縁電線形リード線の先端部を収納ケース内で屈曲させるなどして収納ケースでリード線を直接的に支持することが行われ、複雑な構成になるという問題がある。
【０００７】
本発明の目的は、酸化亜鉛形バリスタを収納する収納ケースから引き出す絶縁電線形リード線と収納ケース内の引出し導体との接続を、工数少なくして簡単、確実性良く行えるようにしたリード線引出し形ＳＰＤを提供することにある。
【課題を解決するための手段】
【０００８】
本発明の上記目的を達成する技術的手段は、酸化亜鉛形バリスタを含むＳＰＤ用素子を収納した収納ケース内で絶縁電線形リード線とＳＰＤ用素子の引出し導体とを接続したリード線引出し形ＳＰＤであって、収納ケースは、リード線の部分的に絶縁被覆を除去した絶縁被覆剥き代部とこれに連続する絶縁被覆部から成る片端部が挿入されるリード線引出し用第一孔と、この第一孔に部分的に開口して引出し導体の先端部が挿入される引出し導体接続用第二孔を有し、第一孔に挿入したリード線の絶縁被覆剥き代部と、第二孔に挿入した引出し導体先端部とを交差させて接触させることで、リード線と引出し導体を接続したことを特徴とする。
【０００９】
ここで、収納ケースは、樹脂製の絶縁ケースが適用できる。収納ケースに収納される酸化亜鉛形バリスタを含むＳＰＤ用素子とは、酸化亜鉛形バリスタのみの場合と、酸化亜鉛形バリスタと酸化亜鉛形バリスタ以外の他の種類のＳＰＤ用素子のことである。酸化亜鉛形バリスタ以外の他のＳＰＤ用素子は、放電ギャップ（製品化されている放電ギャップ部品、引出し導体の途中に形成した放電ギャップ）、酸化亜鉛形バリスタに一体的に形成される温度ヒューズ、酸化亜鉛形バリスタと別体で酸化亜鉛形バリスタに配線される温度ヒューズ、電流ヒューズなどである。収納ケースに複数のＳＰＤ用素子が収納される場合、その複数全てのＳＰＤ用素子の引出し導体が対応するリード線に接続される、或いは、複数のＳＰＤ用素子の内の選択されたもののみの引出し導体が対応する絶縁電線形リード線に接続される。絶縁電線形リード線は、より線などの導体を塩化ビニールなどの樹脂で絶縁被覆した絶縁電線で、収納ケースの第一孔に挿脱可能に挿入される片端部の先端部分に、部分的に絶縁被覆を除去して導体を剥き出しにした絶縁被覆剥き代部を有する。この絶縁被覆剥き代部とこれに連続する所定長さの絶縁被覆部から成る片端部が第一孔に挿入される。第一孔に挿入されたリード線片端部の絶縁電線剥き代部と対面する一箇所に第二孔が形成される。この第二孔に挿入された引出し導体の先端部とリード線の絶縁電線剥き代部が交差して接触する。
【００１０】
収納ケースの第一孔は、絶縁電線形リード線の片端部が軸方向に挿脱可能な直線状の挿入孔である。リード線の片端部は、その先端側の絶縁剥き代部から第一孔に挿入される。第一孔の先端は閉口端で、この閉口端にリード線片端部の先端が当接する位置まで第一孔にリード線が挿入される。第一孔の先端より離れた所定の箇所に第二孔が開口する。第二孔は、第一孔と直交または所定の交差角度で交差する直線状の挿入孔である。第二孔の第一孔と反対の端から第二孔に、引出し導体の直線状先端部が挿脱可能に挿入される。第一孔にリード線を挿入してから、第二孔に引出し導体を挿入して、リード線の絶縁電線剥き代部と引出し導体の先端部を交差させて接触させる。或いは、第二孔に引出し導体を挿入してから第一孔にリード線を挿入して、リード線の絶縁電線剥き代部と引出し導体の先端部を交差させて接触させる。リード線の絶縁電線剥き代部に剥き出された導体に引出し導体が貫通して、リード線と引出し導体が電気的かつ機械的に接続される。このような突き刺し貫通によるリード線と引出し導体の電気的接続状態は、半田付けやカシメといった他の工法に比べ安定しないが、雷サージに対応するＳＰＤにおいては後述する理由で問題にならない。第一孔のリード線に第二孔の引出し導体を交差させて貫通させる構造のため、両者の機械的な接続が常に安定して行われ、第一孔に対してリード線を引き出す方向に荷重を掛けたときに、第二孔に引出し導体の先端部が係止して、リード線の引張り荷重を規定値以上にし、リード線引出形ＳＰＤの機械的な信頼性が良くなる。
【００１１】
本発明においては、収納ケースの第一孔に、当該第一孔に挿入した絶縁電線形リード線の絶縁被覆部を接着剤で固定することができる。このように第一孔にリード線を接着剤で固定することで、リード線の絶縁電線剥き代部と第二孔の引出し導体の電気的かつ機械的接触状態が安定すると共に、リード線の引張り荷重が接着剤による接着力で増大する。
【００１２】
また、収納ケースの第一孔に挿入したリード線と第二孔に挿入した引出し導体の先端部の互いに交差する角度は直角か、第一孔でのリード線引出し方向に対して鋭角にすることが望ましい。ここでの鋭角は、４５°〜９０°の角度である。このような交差角度の規定で、第一孔に対してリード線を引き出す方向に荷重を掛けたときに、引出し導体の先端部がリード線側に食い込む作用をして、リード線の引張り荷重をより強固、安定したものにする。
【００１３】
また、本発明においては、収納ケースの第一孔の奥が、第一孔に挿入されたリード線の先端が突き当たる閉口端にすることができる。
【００１４】
ここでの第一孔の奥の閉口端は、収納ケースの側壁で構成することができる。第一孔に絶縁電線形リード線は、その絶縁被覆剥き代部の先端が第一孔の閉口端に当接するところまで挿入されて位置決めされる。これにより第一孔へのリード線の挿入量が一定し、第二孔から挿入される引出し導体との電気的かつ機械的な接続が良好に行えるようになる。また、第一孔に挿入されるリード線の先端は絶縁被覆剥き代部での剥き出し導体であり、この導体が第一孔の閉口端で絶縁保護されて収納ケースの外面に出ず、リード線引出し形ＳＰＤの絶縁対策が容易になる。
【００１５】
また、本発明のＳＰＤ製造方法は、収納ケースの第一孔に挿入したリード線の絶縁被覆剥き代部と、第二孔に挿入した引出し導体の先端部とを交差させて接触させる交差接触工程と、第一孔内でリード線を捩り回転させるリード線捩り工程と、第一孔にリード線の絶縁被覆部を接着剤で接着するリード線接着工程と、を含む製造方法とすることができる。
【００１６】
上述の交差接触工程の後、第一孔内でリード線を捩り回転させて、互いに交差するリード線の絶縁電線剥き代部と引出し導体先端部との接触力を高め、電気的かつ機械的な接続状態を安定させる。このリード線捩り工程の後、第一孔にリード線を接着剤で固定して、リード線の回転戻りを阻止し、リード線と引出し導体の電気的かつ機械的な接続状態を安定させる。
【発明の効果】
【００１７】
本発明によれば、収納ケースの第一孔に挿入された絶縁電線形リード線の絶縁被覆剥き代部と収納ケースの第二孔に挿入した引出し導体の先端部を交差させて接触させるというワンタッチ式の簡易な作業で絶縁電線形リード線と引出し導体の電気的かつ機械的な接続ができるので、リード線と引出し導体の接続箇所が多くても、工数と作業時間少なくしてＳＰＤの製造組立をすることができ、ＳＰＤ製造組立コストの低減を容易にするという優れた効果を奏する。
【００１８】
また、収納ケースの第一孔に挿入したリード線に第二孔に挿入した引出し導体の先端部を交差させて接続することで、第一孔に対してリード線を引き出す方向に荷重を掛けたときに、第二孔に引出し導体の先端部が係止して、リード線の引張り荷重が常に数ｋｇ以上の大きなものにでき、機械的強度の安定した高信頼度のリード線引出形ＳＰＤが提供できる。
【発明を実施するための最良の形態】
【００１９】
図１及び図２の実施の形態に示すリード線引出し形ＳＰＤは、図３の等価回路に示すように、ＺｎＯを主成分とする酸化亜鉛形バリスタ１と、酸化亜鉛形バリスタ１の裏面側の電極１２に接続された放電ギャップ２を備える。酸化亜鉛形バリスタ１と放電ギャップ２の二種類のＳＰＤ用素子が、共通の収納ケース３０に収納される。酸化亜鉛形バリスタ１は、単相三線または三相三線交流電路に適用される矩形平板状の耐雷素子で、表面側にライン相の三電極１１、…を有する。裏面側の電極１２は、表面側の三電極１１、…の全てに対向する共通電極である。酸化亜鉛形バリスタ１の形状は矩形状に限らず、円盤状のものであってもよい。収納ケース３０は樹脂製の絶縁ケースで、収納ケース３０から計４本の絶縁電線形リード線２０、…を平行に引出してリード線引出し形ＳＰＤを構成する。
【００２０】
酸化亜鉛形バリスタ１の表面側三電極１１、…それぞれに１本ずつ引出し導体１３、…が半田５で接続される。３本の各引出し導体１３、…は、裸電線の線材であり、それぞれの先端部が対応するリード線２０、…に電気的かつ機械的に接続される。酸化亜鉛形バリスタ１の共通電極１２に接続された放電ギャップ２から１本の引出し導体１４が引き出されて、対応する１本のリード線２０に電気的かつ機械的に接続される。なお、図３に示す放電ギャップ２は製品化された放電ギャップ部品で、これに引出し導体１４を接続している。このような放電ギャップ２に代わり、引出し導体１４の途中に形成した図示しない放電ギャップを適用することも可能である。リード線２０は、複数の銅線のより線から成る導体２０ａを樹脂の絶縁被覆材２０ｂで被覆している。
【００２１】
収納ケース３０は矩形箱形の二分割ケースで、本体部３０ａと蓋部３０ｂを備える。本体部３０ａは、有底上端開口の矩形箱形で、底部に平行な４条のリード線引出し用第一孔３１、…を有する。各第一孔３１、…は直線状で、それぞれに１本ずつ絶縁電線形リード線２０、…の所定長さの片端部が挿脱可能に挿入される。本体部３０ａの内部空間に、バリスタ位置決め保持用リブ部３０ｃと第二孔形成筒部３０ｄが形成される。リブ部３０ｃ上に酸化亜鉛形バリスタ１が、その裏面の共通電極１２を下にして位置決め載置される。酸化亜鉛形バリスタ１の共通電極１２に半田付けなどで接続された放電ギャップ２は、本体部３０ａの底と酸化亜鉛形バリスタ１の間の空間に設置される。リブ部３０ｃに位置決め載置された酸化亜鉛形バリスタ１の表面の三電極１１、…に対応して３つの第二孔形成筒部３０ｄが形成される。第二孔形成筒部３０ｄは、対応する第一孔３１の真上に突設させた円柱筒で、それぞれに第二孔３２を軸方向に貫通させている。第二孔３２は、線材の引出し導体１３の１本が挿脱可能に挿入される直線状の貫通孔で、対応する第一孔３１と交差する。
【００２２】
図５（Ａ）、（Ｂ）に示すように、第一孔３１の先端は収納ケース３０の側壁で閉口されて、この閉口端３０ｅに当接するところまでリード線２０の片端部２０’が挿入される。リード線２０の片端部２０’は、図４に示すように、先端から１ｃｍ程度の長さで絶縁被覆材２０ｂを除去した絶縁被覆剥き代部２０ｐと、これに連続する所定長さの絶縁被覆部２０ｑで構成される。第一孔３１の閉口端から５ｍｍ程度離れた一箇所に第二孔３２の先端（下端）が開口する。第一孔３１の底に、第二孔３２の延長孔としての小孔３３が形成される。図５に示す小孔３３は、収納ケース３０の底板を貫通させているが、貫通させない有底の凹状孔でもよい。第一孔３１にリード線２０を、その先端が閉口端３０ｅに当接する位置まで挿入すると、絶縁被覆剥き代部２０ｐのほぼ中央の上下に第二孔３２と小孔３３が位置するよう寸法設定されている。また、第一孔３１の開口端部と、リード線２０の絶縁被覆部２０ｑの外周が接着剤５０で固定される。
【００２３】
以上の実施の形態のリード線引出し形ＳＰＤは、次のように製造組立をすることができる。図４に示すように、収納ケース３０の本体部３０ａから蓋部３０ｂを開き、本体部３０ａの底部の第一孔３１に対応する絶縁電線形リード線２０の片端部２０’を挿入する。リード線片端部２０’の先端側の絶縁被覆剥き代部２０ｐから先に第一孔３１に挿入され、続いて絶縁被覆部２０ｑが第一孔３１に軽く圧入されるようにして挿入される。図５（Ａ）に示すように、第一孔３１の閉口端３０ｅに絶縁被覆剥き代部２０ｐの先端が当接するまで、リード線２０の挿入が行われる。このようなリード線挿入は、４本のリード線２０、…に対してそれぞれ順に行うか、治具（図示せず）を使用して４本同時に行うことができる。リード線挿入後、図４に示すように収納ケース３０の本体部３０ａに引出し導体付バリスタ１を組み付け、このときにバリスタ１から延在する引出し導体１３を対応する第二孔３２に差し込む。
【００２４】
図５（Ｂ）に示すように、線材の引出し導体１３の先端を先鋭にして、この先端部を第二孔３２に挿入し、第二孔３２から第一孔３１内のリード線２０の絶縁被覆剥き代部２０ｐである剥き出し導体２０ａのほぼ中央部に交差する方向で突き刺し、貫通させる。このような突き刺し貫通は、絶縁被覆剥き代部２０ｐの剥き出し導体２０ａがより線ゆえに容易にして確実に行える。引出し導体１３の先端部は、第二孔３２にガイドされて変形することなく第一孔３１に達し、そのまま先鋭端が絶縁被覆剥き代部２０ｐを局部的に貫通して小孔３３に達する。引出し導体１３の先端部がリード線２０の導体２０ａを貫通することで、両者が電気的かつ機械的に接続される。このような接続作業は、治具（図示せず）を使用して３本の引出し導体１３、…に対して順に、或いは、３本同時に行うことができる。また、放電ギャップ２の引出し端子１４と対応するリード線の接続も、上記と同様に行うことができる。このような接続作業は、第一孔にリード線を挿入し、第二孔に引出し端子を挿入するのみの簡単な作業で行うことができ、ＳＰＤ製造組立工数を大幅に低減させ、組立時間を短縮することが容易になる。
【００２５】
図５（Ｂ）の接続工程において、引出し導体１３の先端部をリード線２０に貫通させると、引出し導体１３の先鋭端が収納ケース３０の底の小孔３３から突出することがある。このように突出した先鋭端は刃物などで切断して、図１に示すように収納ケース３０の裏面に銘板などの絶縁シール３５を貼付する。或いは、小孔３３に絶縁材を充填して、小孔３３を絶縁封止してもよい。なお、前述したように小孔３３を有底の凹状孔にして、引出し導体１３の先鋭端がケース外に突出しないようにすれば、前述のような特別な絶縁対策は不要である。
【００２６】
引出し導体１３を対応するリード線２０に貫通させて両導体を電気的かつ機械的に接続した後、リード線２０の絶縁被覆部２０ｑと第一孔３１の開口端部に接着剤５０を塗布してリード線２０を第一孔３１に接着固定する。この固定で第一孔３１に対してリード線２０が捻れ回転せず、両導体の電気的かつ機械的接続状態が安定する。
【００２７】
また、上記リード線引出し形ＳＰＤの製造組立は、次の順序で行うことも可能である。第二孔３２に対応する引出し導体１３の先端部を挿入しておいて、第一孔３１に対応するリード線２０の片端部２０’を挿入する。このリード線挿入の段階で先端部の絶縁被覆剥き代部２０ｐのより線である導体２０ａを引出し導体１３に側方から食い込ませて、両導体を交差させて接触させる。その後、リード線２０を第一孔３１に接着剤５０で固定する。
【００２８】
また、第一孔３１にリード線２０を接着剤５０で固定する前に、引出し導体１３に交差して接触したリード線２０を捩り回転させることも有効である。即ち、第一孔３１に挿入したリード線２０の絶縁被覆剥き代部２０ｐと、第二孔３２に挿入した引出し導体１３の先端部とを交差させて接触させる交差接触工程の後、第一孔３１に挿入したリード線２０を左右いずれかの方向に捩り回転させるリード線捩り工程を設ける。このリード線捩り工程で、引出し導体１３を貫通して交差したリード線２０の絶縁被覆剥き代部２０ｐが回転して引出し導体１３との接触力が増大し、両導体の電気的かつ機械的接続状態がより強固になり安定する。このようなリード線捩り工程は、作業員の指先で簡単にして確実性良く行うことができる。リード線捩り工程の後、第一孔３１に対応するリード線２０を接着剤５０で固定する（リード線接着工程）。
【００２９】
以上のＳＰＤ製造組立において、リード線２０の絶縁被覆剥き代部２０ｐと引出し導体１３の接触による電気的接続状態は、半田付けやカシメなどの接続状態に比べて安定せず、両導体の接触不良、電気的接続不良が生じる可能性がある。しかし、ＳＰＤ（雷サージ防護デバイス）用素子として使用される場合においては、電気的接続不良箇所が放電ギャップ的な動作をして問題は無い。即ち、電気的接続不良箇所にＳＰＤ動作時に大きなサージ電圧が印加され、大電流が数十μｓと極短時間だけ流れるから、仮に酸化被膜で接触抵抗が大きくなっていても大きなサージ電圧で酸化被膜を破壊させ信頼性を低下させない。
【００３０】
また、引出し導体１３を対応するリード線２０に貫通させて両導体を機械的接続することで、機械的強度が大きく、かつ、安定する。図５（Ｂ）に示すように、第一孔３１と第二孔３２の交差角度をθとすると、この交差角度θは第一孔３１に挿入されたリード線２０の引出し方向Ｘに対して直角か鋭角に設定する。リード線２０に引出し方向Ｘに引張り荷重を掛けたとき、リード線２０を貫通する引出し導体１３の先端部が第二孔３２に係止して、リード線２０に必要な引張り荷重を大きく設定することができる。このような引張り荷重は、交差角度θが直角か直角に近い鋭角の場合に効果的に増大させることができる。
【００３１】
以上で説明したリード線引出し形ＳＰＤにおける酸化亜鉛形バリスタは、表面側に三電極を裏面側に共通電極を形成した三相多端子バリスタであるが、本発明はこれに限定されることなく、酸化亜鉛形バリスタの表裏面に一対の電極を形成した二端子バリスタなども適用可能である。
【図面の簡単な説明】
【００３２】
【図１】本発明の実施の形態のリード線引出し形ＳＰＤの主要部構成を示す部分断面を含む側面図である。
【図２】図１のＳＰＤの部分断面を含む正面図である。
【図３】図１のＳＰＤの等価回路である。
【図４】図１のＳＰＤの製造組立時の分解側面図である。
【図５】（Ａ）は図１のＳＰＤの製造組立時の部分拡大断面図、（Ｂ）は二導体接続時の部分拡大断面図である。
【符号の説明】
【００３３】
１    酸化亜鉛形バリスタ、ＳＰＤ用素子
２    放電ギャップ、ＳＰＤ用素子
１１、１２  電極
１３．１４  引出し導体
２０    絶縁電線形リード線
２０’    片端部
２０ａ    導体
２０ｂ    絶縁被覆材
２０ｐ    絶縁被覆剥き代部
２０ｑ    絶縁被覆部
３０    収納ケース
３０ａ    本体部
３０ｂ    蓋部
３０ｅ    閉口端
３１    第一孔
３２    第二孔
３３    小孔
５０    接着剤
θ      交差角度
Ｘ    リード線引出し方向
【図１】
2008053335.tif 000003
【図２】
2008053335.tif 000004
【図３】
2008053335.tif 000005
【図４】
2008053335.tif 000006
【図５】
2008053335.tif 000007